(57)【特許請求の範囲】
【請求項１】
所定の入力装置により検出されたユーザー操作に基づき、原稿モードを特定する原稿モード特定部と、
黒生成および下色除去についての複数の色調整特性から、特定された前記原稿モードに応じて色調整特性を選択し、選択した前記色調整特性で画像データの色を調整する色調整部と、
を備え、
前記原稿モード特定部は、原稿モードとして、文字原稿モード、写真原稿モードおよび文字写真原稿モードを特定可能であり、
前記色調整部は、前記原稿モードが文字原稿モードである場合には文字原稿モード用の色調整特性を選択し、前記原稿モードが写真原稿モードである場合には写真原稿モード用の色調整特性を選択し、前記原稿モードが文字写真原稿モードである場合には文字写真原稿モード用の色調整特性を選択し、
前記黒生成値および前記下色除去値が飽和する入力値は、最大入力値の半分以下であり、
前記文字原稿モード用の色調整特性および前記文字写真原稿モード用の色調整特性では、黒生成値が、最大入力値未満の入力値で飽和し、下色除去値が、前記黒生成値が飽和する入力値で飽和し、
前記文字写真原稿モード用の色調整特性において前記黒生成値および前記下色除去値が飽和する入力値は、前記文字原稿モード用の色調整特性において前記黒生成値および前記下色除去値が飽和する入力値より高いこと、
を特徴とする画像処理装置。
【請求項２】
前記色調整部は、選択した前記色調整特性で、領域分離されていない前記画像データによる画像全域の色を調整することを特徴とする請求項１記載の画像処理装置。
【請求項３】
画像読取装置と、
印刷装置と、
請求項１または請求項２記載の画像処理装置とを備え、
前記画像処理装置は、前記画像読取装置により生成される原稿の画像データに対して画像処理を実行し、
前記印刷装置は、前記画像処理装置により処理された画像データに基づいて印刷を行うこと、
を特徴とする画像形成装置。
【請求項４】
所定の入力装置により検出されたユーザー操作に基づき、原稿モードを特定する原稿モード特定ステップと、
黒生成および下色除去についての複数の色調整特性から、特定した前記原稿モードに応じて色調整特性を選択し、選択した前記色調整特性で画像データの色を調整する色調整ステップと、
を備え、
前記原稿モード特定ステップでは、原稿モードとして、文字原稿モード、写真原稿モードおよび文字写真原稿モードを特定可能であり、
前記色調整ステップでは、前記原稿モードが文字原稿モードである場合には文字原稿モード用の色調整特性を選択し、前記原稿モードが写真原稿モードである場合には写真原稿モード用の色調整特性を選択し、前記原稿モードが文字写真原稿モードである場合には文字写真原稿モード用の色調整特性を選択し、
前記黒生成値および前記下色除去値が飽和する入力値は、最大入力値の半分以下であり、
前記文字原稿モード用の色調整特性および前記文字写真原稿モード用の色調整特性では、黒生成値が、最大入力値未満の入力値で飽和し、下色除去値が、前記黒生成値が飽和する入力値で飽和し、
前記文字写真原稿モード用の色調整特性において前記黒生成値および前記下色除去値が飽和する入力値は、前記文字原稿モード用の色調整特性において前記黒生成値および前記下色除去値が飽和する入力値より高いこと、
を特徴とする画像処理方法。
【発明の詳細な説明】
【技術分野】
【０００１】
本発明は、画像処理装置、画像形成装置、および画像処理方法に関するものである。
【背景技術】
【０００２】
画像形成装置（例えばカラー複写機など）により処理される原稿には様々な種類がある。地図、パンフレット、カタログなどといった原稿には、網点や、下地領域上に文字が存在する。このような原稿に対して、ある画像形成装置は、網点領域、文字領域、およびその他領域を認識して各領域を分離する領域分離機能を有し、分離後の各領域のそれぞれに適した画像処理を施し、印刷などの出力をしている。
【０００３】
特に、ある画像形成装置では、このような領域分離機能や文字検知機能を使用して原稿画像内の文字領域を検出し、文字領域に対する黒生成値や下地色除去値を適切にすることで文字の再現性を向上させようとしている（例えば特許文献１参照）。
【先行技術文献】
【特許文献】
【０００４】
【特許文献１】特開２００５−２４４４５５号公報
【発明の概要】
【発明が解決しようとする課題】
【０００５】
しかしながら、領域分離、文字検知などではラインメモリを多用し装置のコストアップにつながるため、比較的安価な装置では領域分離機能等が搭載されていない。
【０００６】
そのような領域分離機能および文字検知機能が搭載されていない画像形成装置では、原稿画像内の文字領域を特定することが困難であるため、黒色の文字が出力される場合、ブラック（Ｋ）単色ではなく、写真画像内の黒色画素と同様にＣＭＹなどの複数カラーによるコンポジットで形成される。このため、色ずれが発生すると、印刷された原稿において黒色の文字として正確に再現されない。
【０００７】
本発明は、上記の問題に鑑みてなされたものであり、領域分離機能、文字検知機能等を使用せずに黒色の文字の出力再現性を向上させる画像処理装置、画像形成装置、および画像処理方法を得ることを目的とする。
【課題を解決するための手段】
【０００８】
上記の課題を解決するために、本発明では以下のようにした。
【０００９】
本発明に係る画像処理装置は、所定の入力装置により検出されたユーザー操作に基づき、原稿モードを特定する原稿モード特定部と、黒生成および下色除去についての複数の色調整特性から、特定された原稿モードに応じて色調整特性を選択し、選択した色調整特性で画像データの色を調整する色調整部とを備える。さらに、原稿モード特定部は、原稿モードとして、文字原稿モード、写真原稿モードおよび文字写真原稿モードを特定可能である。色調整部は、原稿モードが文字原稿モードである場合には文字原稿モード用の色調整特性を選択し、原稿モードが写真原稿モードである場合には写真原稿モード用の色調整特性を選択し、原稿モードが文字写真原稿モードである場合には文字写真原稿モード用の色調整特性を選択する。そして、黒生成値および下色除去値が飽和する入力値は、最大入力値の半分以下であり、文字原稿モード用の色調整特性および文字写真原稿モード用の色調整特性では、黒生成値が、最大入力値未満の入力値で飽和し、下色除去値が、黒生成値が飽和する入力値で飽和し、文字写真原稿モード用の色調整特性において黒生成値および下色除去値が飽和する入力値は、文字原稿モード用の色調整特性において黒生成値および下色除去値が飽和する入力値より高い。
【００１０】
これにより、原稿モードに応じて色調整特性が切り換わるため、文字原稿モード時に、文字の印刷に適した色調整特性を使用することができる。したがって、領域分離機能、文字検知機能等を使用せずに黒色の文字の出力再現性を向上させることができる。また、文字原稿モードでは、色調整前の画素値が低くても色ずれが生じにくい。さらに、文字写真原稿モードでも、黒成分が増強されやすくなるとともに、カラー成分が除去されやすくなるため、色ずれが生じにくい。
【００１５】
また、本発明に係る画像処理装置は、上記の画像処理装置に加え、次のようにしてもよい。この場合、色調整部は、選択した色調整特性で、領域分離されていない画像データによる画像全域の色を調整する。
【００１９】
本発明に係る画像形成装置は、画像読取装置と、印刷装置と、上記いずれかの画像処理装置とを備える。そして、画像処理装置は、画像読取装置により生成される原稿の画像データに対して画像処理を実行し、印刷装置は、画像処理装置により処理された画像データに基づいて印刷を行う。
【００２０】
これにより、原稿モードに応じて色調整特性が切り換わるため、文字原稿モード時に、文字の印刷に適した色調整特性を使用することができる。したがって、領域分離機能、文字検知機能等を使用せずに黒色の文字の出力再現性を向上させることができる。
【００２１】
本発明に係る画像処理方法は、所定の入力装置により検出されたユーザー操作に基づき、原稿モードを特定する原稿モード特定ステップと、黒生成および下色除去についての複数の色調整特性から、特定した原稿モードに応じて色調整特性を選択し、選択した色調整特性で画像データの色を調整する色調整ステップとを備える。さらに、原稿モード特定ステップでは、原稿モードとして、文字原稿モード、写真原稿モードおよび文字写真原稿モードを特定可能である。色調整ステップでは、原稿モードが文字原稿モードである場合には文字原稿モード用の色調整特性を選択し、原稿モードが写真原稿モードである場合には写真原稿モード用の色調整特性を選択し、原稿モードが文字写真原稿モードである場合には文字写真原稿モード用の色調整特性を選択する。そして、黒生成値および下色除去値が飽和する入力値は、最大入力値の半分以下であり、文字原稿モード用の色調整特性および文字写真原稿モード用の色調整特性では、黒生成値が、最大入力値未満の入力値で飽和し、下色除去値が、黒生成値が飽和する入力値で飽和し、文字写真原稿モード用の色調整特性において黒生成値および下色除去値が飽和する入力値は、文字原稿モード用の色調整特性において黒生成値および下色除去値が飽和する入力値より高い。
【００２２】
これにより、原稿モードに応じて色調整特性が切り換わるため、文字原稿モード時に、文字の印刷に適した色調整特性を使用することができる。したがって、領域分離機能、文字検知機能等を使用せずに黒色の文字の出力再現性を向上させることができる。
【発明の効果】
【００２３】
本発明によれば、領域分離機能、文字検知機能等を使用せずに黒色の文字の出力再現性を向上させることができる。
【図面の簡単な説明】
【００２４】
【図１】図１は、本発明の実施の形態に係る画像形成装置の構成を示すブロック図である。
【図２】図２は、原稿モードごとに異なる色調整特性の例を示す図である。
【発明を実施するための形態】
【００２５】
以下、図に基づいて本発明の実施の形態を説明する。
【００２６】
図１は、本発明の実施の形態に係る画像形成装置の構成を示すブロック図である。
【００２７】
図１において、画像読取装置１は、原稿の画像を１ページずつ光学的に読み取り、各ページ画像の画像データを生成する内部装置である。また、印刷装置２は、印刷データに基づき、例えばカラー電子写真方式で原稿画像を印刷用紙に印刷する内部装置である。
【００２８】
記憶装置３は、各種データを格納可能な記憶装置である。記憶装置３としては、不揮発性メモリー、ハードディスクドライブなどの不揮発性の大容量記憶媒体が使用される。記憶装置３には、原稿モードごとに異なる複数の色調整テーブル１１，１２，１３が予め記憶されている。
【００２９】
写真モード用色調整テーブル１１は、原稿モードとして写真原稿モードが選択された場合に使用される黒生成特性および下色除去特性のデータを有する。写真モード用色調整テーブル１１は、階調領域が主体となっている原稿に適した黒生成特性および下色除去特性のデータを有する。
【００３０】
文字モード用色調整テーブル１２は、原稿モードとして文字原稿モードが選択された場合に使用される黒生成特性および下色除去特性のデータを有する。文字モード用色調整テーブル１２は、文字が主体となっている原稿に適した黒生成特性および下色除去特性のデータを有する。
【００３１】
文字写真モード用色調整テーブル１３は、原稿モードとして文字写真原稿モードが選択された場合に使用される黒生成特性および下色除去特性のデータを有する。文字写真モード用色調整テーブル１３は、文字および階調領域が混在する原稿に適した黒生成特性および下色除去特性のデータを有する。
【００３２】
操作パネル４は、画像形成装置の筐体表面に配置され、ユーザーに対して各種情報を表示する表示装置と、ユーザー操作を検出する入力装置とを有する。表示装置としては例えば液晶ディスプレイが使用される。入力装置としては、キースイッチ、タッチパネルなどが使用される。
【００３３】
画像処理部５は、カラー複写の際に、画像読取装置１により生成された画像データに基づき印刷装置２で印刷を行うために、その画像データに対して画像処理を施す。
【００３４】
印刷データ生成部６は、ハーフトーニングなどを行い、画像処理部５により処理された画像データを印刷データに変換する。
【００３５】
制御部７は、操作パネル４により検出されたユーザー操作に従って、画像読取装置１、印刷装置２、画像処理部５などを制御して、コピージョブを実行する。その際、操作パネル４に対するユーザー操作に従って、制御部７は、コピー設定項目の１つである原稿モードの設定値を、文字原稿モード、写真原稿モードおよび文字写真原稿モードから選択する。制御部７は、この原稿モードの設定値を色調整値２５に供給する。
【００３６】
なお、画像処理部５、印刷データ生成部６および制御部７のそれぞれの一部または全部は、ＣＰＵ（Central Processing Unit）、ＲＡＭ（Random Access Memory）などを有するコンピューターでプログラムを実行することにより実現可能である。
【００３７】
ここで、画像処理部５の詳細について説明する。
【００３８】
画像処理部５は、画像入力側の画像処理を行う入力側画像処理部５ａと画像出力側の画像処理を行う出力側画像処理部５ｂとを有する。入力側画像処理部５ａは、入力補正部２１、フィルター処理部２２、およびガンマ処理部２３を有し、出力側画像処理部５ｂは、色変換処理部２４、色調整部２５、および出力補正部２６を有する。
【００３９】
入力補正部２１は、画像読取装置１により得られた画像データに対してシェーディング補正、ＭＴＦ（Modulation Transfer Function）補正などを行う。
【００４０】
フィルター処理部２２は、画像読取装置１により得られた画像データに対して平滑化、エッジ強調などを行う。
【００４１】
ガンマ処理部２３は、画像読取装置１についてのガンマ補正を行う。例えば、ガンマ処理部２３により、画像読取装置１の特性に応じた輝度補正が行われる。
【００４２】
色変換処理部２４は、画像入力側（画像読取装置１および入力側画像処理部５ａ）で得られた画像データについての、その画像入力側の色空間から画像出力側（印刷装置２および出力側画像処理部５ｂ）への色空間への変換を行う。
【００４３】
色調整部２５は、領域分離されていない画像データによる画像全域について、黒生成（ＢＧ：Black Generation）および下色除去（ＵＣＲ：Under Color Removal）を行う。色調整部２５は、原稿モードを特定する原稿モード特定部２５ａを有し、黒生成および下色除去についての複数の色調整特性（つまり、色調整テーブル１１，１２，１３）から、原稿モード特定部２５ａで特定した原稿モードに応じて色調整特性を選択し、選択した色調整特性で画像データの色を調整する。
【００４４】
この実施の形態では、原稿モード特定部２５ａは、原稿モードとして、文字原稿モード、写真原稿モードおよび文字写真原稿モードを特定可能である。色調整部２５は、原稿モードが文字原稿モードである場合には文字原稿モード用の色調整特性を選択し、原稿モードが写真原稿モードである場合には写真原稿モード用の色調整特性を選択し、原稿モードが文字写真原稿モードである場合には文字写真原稿モード用の色調整特性を選択する。
【００４５】
文字原稿モード用の色調整特性では、黒生成値が、最大入力値未満の入力値で飽和し、下色除去値が、黒生成値が飽和する入力値で飽和する。さらに、この実施の形態では、文字原稿モード用の色調整特性において黒生成値および下色除去値が飽和する入力値は、最大入力値の半分以下である。
【００４６】
また、文字写真原稿モード用の色調整特性では、黒生成値が、最大入力値未満の入力値で飽和し、下色除去値が、黒生成値が飽和する入力値で飽和し、文字写真原稿モード用の色調整特性において黒生成値および下色除去値が飽和する入力値は、文字原稿モード用の色調整特性において黒生成値および下色除去値が飽和する入力値より高い。
【００４７】
この実施の形態では、原稿モード特定部２５ａは、操作パネル４により検出されたユーザー操作に基づき、原稿モードを特定する。具体的には、原稿モード特定部２５ａは、操作パネル４により検出されたユーザー操作に基づき選択された原稿モードの設定値を制御部７から取得し、原稿モードを特定する。
【００４８】
出力補正部２６は、印刷装置２についてのガンマ補正を行う。例えば、出力補正部２６により、印刷装置２の特性に応じた濃度補正が行われる。出力補正部２６により処理された画像データが印刷データ生成部６に供給される。
【００４９】
図２は、原稿モードごとに異なる色調整特性の例を示す図である。図２（Ａ）は、写真モード用色調整テーブル１１による色調整特性の一例を示す図である。図２（Ｂ）は、文字モード用色調整テーブル１２による色調整特性の一例を示す図である。図２（Ｃ）は、文字写真モード用色調整テーブル１３による色調整特性の一例を示す図である。
【００５０】
図２（Ａ）における実線で示すように、写真原稿モード用の黒生成特性では、入力値（つまり、色調整前のＣＭＹＫ画像データにおける画素のＫ値）が９６以下であれば、出力値（色調整前のＫ値に加算する値、つまり黒生成値）はゼロであり、入力値が９６以上でありかつ２５５（最大値）以下であれば、出力値は、入力値の増加に従って増加していき、入力値が２５５であるときに、出力値は２５５（最大値）となる。
【００５１】
また、図２（Ａ）における破線で示すように、写真原稿モード用の下色除去特性では、入力値（つまり、色調整前のＣＭＹＫ画像データにおける画素のＣＭＹ３値のうちの最小値）が９６以下であれば、出力値（色調整前のＣＭＹ３値からそれぞれ減算する値、つまり下色除去値）はゼロであり、入力値が９６以上でありかつ２５５（最大値）以下であれば、出力値は、入力値の増加に従って増加していき、入力値が２５５であるときに、出力値は最大値となる。なお、入力値が９６以上でかつ２５５以下である場合、下色除去値は、黒生成値より低い。
【００５２】
図２（Ｂ）における実線で示すように、文字原稿モード用の黒生成特性では、入力値（つまり、色調整前のＣＭＹＫ画像データにおける画素のＫ値）が６５以下であれば、出力値（色調整前のＫ値に加算する値、つまり黒生成値）はゼロであり、入力値が６５以上でありかつ１２０以下であれば、出力値は、入力値の増加に従って増加していき、入力値が１２０であるときに、出力値は２５５（最大値）となり飽和する。そして、入力値が１２０以上である場合、出力値は、常に２５５（最大値）となる。さらに、この実施の形態では、文字原稿モード用の色調整特性において黒生成値および下色除去値が飽和する入力値（ここでは、１２０）は、最大入力値（ここでは２５５）の半分以下である。
【００５３】
また、図２（Ｂ）における破線で示すように、文字原稿モード用の下色除去特性では、入力値（つまり、色調整前のＣＭＹＫ画像データにおける画素のＣＭＹ３値のうちの最小値）が７０以下であれば、出力値（色調整前のＣＭＹ３値からそれぞれ減算する値、つまり下色除去値）はゼロであり、入力値が７０以上でありかつ１２０以下であれば、出力値は、入力値の増加に従って増加していき、入力値が１２０であるときに、出力値は最大値となり飽和する。そして、入力値が１２０以上である場合、出力値は、常に２５５（最大値）となる。つまり、下色除去値が飽和する入力値（ここでは１２０）は、黒生成値が飽和する入力値と同一とされる。なお、入力値が７０以上でかつ１２０未満である場合、下色除去値は、黒生成値より低い。
【００５４】
図２（Ｃ）における実線で示すように、文字写真原稿モード用の黒生成特性では、入力値（つまり、色調整前のＣＭＹＫ画像データにおける画素のＫ値）が６５以下であれば、出力値（色調整前のＫ値に加算する値、つまり黒生成値）はゼロであり、入力値が６５以上でありかつ１７０以下であれば、出力値は、入力値の増加に従って増加していき、入力値が１７０であるときに、出力値は２５５（最大値）となり飽和する。そして、入力値が１７０以上である場合、出力値は、常に２５５（最大値）となる。
【００５５】
また、図２（Ｃ）における破線で示すように、文字写真原稿モード用の下色除去特性では、入力値（つまり、色調整前のＣＭＹＫ画像データにおける画素のＣＭＹ３値のうちの最小値）が９０以下であれば、出力値（色調整前のＣＭＹ３値からそれぞれ減算する値、つまり下色除去値）はゼロであり、入力値が９０以上でありかつ１７０以下であれば、出力値は、入力値の増加に従って増加していき、入力値が１７０であるときに、出力値は最大値となり飽和する。そして、入力値が１７０以上である場合、出力値は、常に２５５（最大値）となる。つまり、下色除去値が飽和する入力値（ここでは１７０）は、黒生成値が飽和する入力値と同一とされる。なお、入力値が９０以上でかつ１７０未満である場合、下色除去値は、黒生成値より低い。
【００５６】
文字写真原稿モード用の色調整特性における黒生成値と下色除去値が飽和する入力値（ここでは、１７０）は、写真原稿モード用の色調整特定における黒生成値と下色除去値が飽和する入力値（ここでは、１２０）より高く設定されるとともに、文字写真原稿モード用の色調整特性における下色除去値がゼロより大きくなる入力値の下限値（ここでは、９０）は、文字原稿モード用の色調整特性における下色除去値がゼロより大きくなる入力値の下限値（ここでは、７０）より高く設定される。
【００５７】
次に、上記画像形成装置の動作について説明する。
【００５８】
ユーザーは、原稿を当該画像形成装置に載置し、操作パネル４に対して、原稿モードを指定する操作を行った上でコピー要求の操作を行う。
【００５９】
制御部７は、それらのユーザー操作が操作パネル４により検出されると、コピージョブを実行するとともに、ユーザーにより指定された原稿モードを示す設定値を出力側画像処理部５ｂに供給する。
【００６０】
コピージョブの実行の際、制御部７は、まず、画像読取装置１を制御して、その原稿の画像を読み取らせる。画像読取装置１は、その原稿を読み取り、原稿画像の画像データを生成して出力する。入力側画像処理部５ａは、画像読取装置１から出力された画像データを処理し、処理後の画像データを出力側画像処理部５ｂに供給する。
【００６１】
次に、制御部７は、出力側画像処理部５ｂに、印刷のための画像処理を実行させるとともに、印刷装置２に印刷を行わせる。
【００６２】
まず、色変換処理部２４が、入力側画像処理部５ａにより処理された後の画像データについて色変換を行う。
【００６３】
そして、色調整部２５は、原稿モード特定部２５ａで、このコピージョブにおいて指定されている原稿モードを特定し、その原稿モードに対応する色調整テーブルを、色調整テーブル１１〜１３から選択し、選択した色調整テーブルを使用して、色変換処理後の画像データにおける各画素の黒生成値と下色除去値を特定し、色変換処理後の画像データにおける各画素のＣＭＹＫ値、黒生成値、および下色除去値から、色調整後のＣＭＹＫ値を計算する。
【００６４】
例えば、文字原稿モードの場合、図２（Ｂ）に示す特性を有する色調整テーブル１２が使用され、色調整前のある画素の画素値（ＣＭＹＫ値）が（Ｃ，Ｍ，Ｙ，Ｋ）＝（１２０，１２０，１２０，０）であるとき、黒生成値および下色除去値はいずれも２５５となり、色調整後のその画素の画素値は、（Ｃ，Ｍ，Ｙ，Ｋ）＝（０，０，０，２５５）となる。
【００６５】
例えば、写真原稿モードの場合、図２（Ａ）に示す特性を有する色調整テーブル１１が使用され、色調整前のある画素の画素値（ＣＭＹＫ値）が（Ｃ，Ｍ，Ｙ，Ｋ）＝（１２０，１２０，１２０，０）であるとき、黒生成値は５０となり下色除去値は１０となるため、色調整後のその画素の画素値は、（Ｃ，Ｍ，Ｙ，Ｋ）＝（１１０，１１０，１１０，５０）となる。
【００６６】
例えば、文字写真原稿モードの場合、図２（Ｃ）に示す特性を有する色調整テーブル１１が使用され、色調整前のある画素の画素値（ＣＭＹＫ値）が（Ｃ，Ｍ，Ｙ，Ｋ）＝（１２０，１２０，１２０，０）であるとき、黒生成値は１４０となり下色除去値は６０となるため、色調整後のその画素の画素値は、（Ｃ，Ｍ，Ｙ，Ｋ）＝（６０，６０，６０，１４０）となる。
【００６７】
出力補正部２６は、色調整後の画像データに対してガンマ補正などを行い、その処理後の画像データを印刷データ生成部６に供給する。印刷データ生成部６は、その画像データから印刷データを生成し、印刷装置２に供給する。印刷装置２は、その印刷データに基づいて、原稿画像を印刷用紙に印刷する。
【００６８】
以上のように、上記実施の形態によれば、色調整部２５は、黒生成および下色除去についての複数の色調整特性から、特定された原稿モードに応じて色調整特性を選択し、選択した色調整特性で画像データの色を調整する。
【００６９】
これにより、原稿モードに応じて色調整特性が切り換わるため、文字原稿モード時に、文字の印刷に適した色調整特性を使用することができる。したがって、領域分離機能、文字検知機能等を使用せずに黒色の文字の出力再現性を向上させることができる。
【００７０】
なお、上述の実施の形態は、本発明の好適な例であるが、本発明は、これらに限定されるものではなく、本発明の要旨を逸脱しない範囲において、種々の変形、変更が可能である。
【００７１】
例えば、上記実施の形態に係る画像形成装置は、画像処理装置の一例であって、他の形態としてもよい。
【００７２】
また、上記実施の形態では、原稿モードとして、文字原稿モード、写真原稿モード、および文字写真原稿モードの３つのいずれかを選択可能であるが、原稿モードとして、文字原稿モードおよび写真原稿モードの２つのいずれかを選択可能としてもよい。
【００７３】
また、上記実施の形態では、各原稿モードについての色調整テーブルを使用して、黒生成値および下色除去値を特定しているが、その代わりに、各特性を示す関数を使用して黒生成値および下色除去値を計算するようにしてもよい。
【産業上の利用可能性】
【００７４】
本発明は、例えば、カラー複写機などの画像形成装置に適用可能である。
【符号の説明】
【００７５】
１  画像読取装置
２  印刷装置
４  操作パネル（入力装置の一例）
２５  色調整部
２５ａ  原稿モード特定部
【図１】
0005557775.tif 000002
【図２】
0005557775.tif 000003